(57)【要約】【課題】  使用前の吸水量の調節や使用後の脱水が容易で、しかも未使用時にコンパクトに形成して狭い場所でも保管できるようにするモップを提供する。【解決手段】  柄２の先端部に柄２に沿って進退する操作棒３を配設し、同操作棒３の先端に一対の基板４をその基端部でそれぞれ枢支し、各基板４の他端部を柄２の先端部の所定箇所と枢支し、各基板４に圧縮変形可能な横長の１体の吸水体５を基板４間に渡って取り付け、操作棒３で基板４に取り付けた吸水体５の中央部を引張しながら２つ折りにして圧縮により脱水できるようにした。【選択図】          図１
0003111126.tif 000002
【実用新案登録請求の範囲】
【請求項１】
中央で折曲可能な剛性部分を備えた圧縮変形可能な吸水体を柄の先端に配置し、同吸水体の剛性部分の中央部に柄に沿って進退可能な操作棒を取り付け、吸水体の剛性部分の両端部を柄の先端部にリンク部材を介して枢支し、操作棒で吸水体を引張しながら２つ折りにして圧縮により脱水できるようにしたことを特徴とする、モップ。
【請求項２】
操作棒を進退させるレバーを柄に備えた、請求項１記載のモップ。
【請求項３】
柄の先端部に柄に沿って進退する操作棒を配設し、同操作棒の先端に長孔を備えた一対の基板をその基端部でそれぞれ枢支し、各基板に圧縮変形可能な横長の１体の吸水体を基板間に渡って取り付け、柄の先端部に各基板の他端部を拘束する拘束部材を設け、同拘束部材に各基板の他端部をリンク部材を介して長孔でスライド自在に拘束し、操作棒で基板に取り付けた吸水体の中央部を引張により２つ折りして圧縮により脱水できるようにしたことを特徴とする、モップ。
【請求項４】
柄にレバーをその基端部で前後方向に回動可能に枢支し、同レバーの中央部を操作棒の基端部と枢支し、レバーを前後へ回動させて操作棒を進退できるようにした、請求項３記載のモップ。
【請求項５】
吸水体を基板にベースシートを介して取り外し可能に取り付けた、請求項３又は４記載のモップ。
【請求項６】
２つ折りした吸水体の両端部を加圧して脱水する加圧板を各リンク部材に設けた、請求項３〜５いずれか記載のモップ。
【考案の詳細な説明】
【技術分野】
【０００１】
本考案は、床や窓の清掃に用いるモップに関する。
【背景技術】
【０００２】
モップは、柄の先端にスポンジ等の吸水体を取り付けた構造が一般的であり、バケツに入れた水に吸水体を浸漬させて床や窓を水拭きしている。ところで、吸水体に吸水させる水量の調節や使用後の洗浄における脱水は、吸水体をバケツの縁に押えつけて絞り出すことで行なわれている。しかし、モップは作業効率を向上させるために一般的に幅を有しているから吸水や洗浄時にバケツに入らない場合があり、また無理に入れてこぼれた水で床面を濡らしたりバケツが不安定になる等の問題があった。
【０００３】
そこで、脱水を容易にする技術として、柄の先端部に備えた２体の吸水体を連結して２つ折り可能にし、同連結部に取り付けて引張により吸水体を２つ折りさせるレバーを柄に取り付け、２つ折りした吸水体を圧接して脱水させる収容室を備えたモップヘッドを柄の先端部に取り付けたツーウェイモップが特許文献１に開示されている。
【０００４】
しかし、前記技術でも２つ折りした状態では吸水体は依然幅を有し、モップヘッドの収容室で圧接して脱水した水をバケツに回収する際、モップを傾けたりして水をこぼさないようにする配慮が必要で使いにくいものであった。また、２つ折りした状態でも吸水体は幅を有し、未使用時の収容に場所を取る問題もあった。
【特許文献１】実用新案登録第３１０１４８４号公報
【考案の開示】
【考案が解決しようとする課題】
【０００５】
本考案が解決しようとする課題は、従来のこれらの問題点を解消し、使用前の吸水量の調節や使用後の脱水が容易で、しかも未使用時にコンパクトに形成して狭い場所でも保管し易いモップを提供することにある。
【課題を解決するための手段】
【０００６】
かかる課題を解決した本考案の構成は、
１）   中央で折曲可能な剛性部分を備えた圧縮変形可能な吸水体を柄の先端に配置し、同吸水体の剛性部分の中央部に柄に沿って進退可能な操作棒を取り付け、吸水体の剛性部分の両端部を柄の先端部にリンク部材を介して枢支し、操作棒で吸水体を引張しながら２つ折りにして圧縮により脱水できるようにしたことを特徴とする、モップ
２）  操作棒を進退させるレバーを柄に備えた、前記１）記載のモップ
３）  柄の先端部に柄に沿って進退する操作棒を配設し、同操作棒の先端に長孔を備えた一対の基板をその基端部でそれぞれ枢支し、各基板に圧縮変形可能な横長の１体の吸水体を基板間に渡って取り付け、柄の先端部に各基板の他端部を拘束する拘束部材を設け、同拘束部材に各基板の他端部をリンク部材を介して長孔でスライド自在に拘束し、操作棒で基板に取り付けた吸水体の中央部を引張により２つ折りして圧縮により脱水できるようにしたことを特徴とする、モップ
４）  柄にレバーをその基端部で前後方向に回動可能に枢支し、同レバーの中央部を操作棒の基端部と枢支し、レバーを前後へ回動させて操作棒を進退できるようにした、前記３）記載のモップ
５）  吸水体を基板にベースシートを介して取り外し可能に取り付けた、前記３）又は４）記載のモップ
６）  ２つ折りした吸水体の両端部を加圧して脱水する加圧板を各リンク部材に設けた、前記３）〜５）いずれか記載のモップ
にある。
【考案の効果】
【０００７】
本考案によれば、操作棒で吸水体を引張すると中央部から２つに折れて展開時のおよそ１／２の長さで且つ柄の長手方向に沿う状態に形成され、小径のバケツ等でも無理なく吸水や洗浄が行える。また、圧縮により脱水された水は狭幅となった吸水体の下端から排水され、こぼしたりモップを傾けたりすることなく容易に回収できるようになる。さらに、２つ折り時はコンパクトに形成されるから、未使用時は狭い場所でも容易に保管できるようになる。
【考案を実施するための最良の形態】
【０００８】
本考案では、２つ折りされた吸水体の両端部は折れ曲がり部分と比較して圧縮が不十分となり易いから、吸水体の両端部を加圧して全体をムラなく脱水させる加圧板をリンク部材の外側に取り付けるのが望ましい。以下、本考案の実施例を図面に基づいて具体的に説明する。
【実施例１】
【０００９】
図１は実施例のモップの斜視図、図２は図１のＡ−Ａ断面図、図３は実施例のモップのレバーの説明図、図４，５は実施例のモップの使用状態を示す説明図である。図中、１はモップ、２は柄、３は操作棒、３ａは枢支部材、４は基板、４ａは長孔、５は吸水体、５ａはベースシート、６は拘束部材、７はリンク部材、７ａは加圧板、８はレバー、８ａはホルダー、９はリンクバー、１０はスライド部材である。
【００１０】
本実施例のモップ１は、図１〜３に示すように柄２の先端部に柄２に沿って進退する２本の操作棒３を配設し、同操作棒３の先端に一対の基板４の基端部を枢支部材３ａでそれぞれ枢支し、各基板４に発泡ウレタンからなる横長の１体の吸水体５をゴム製のベースシート５ａを介して基板４間に渡って取り外し可能に取り付け、柄２の先端部の操作棒３と枢支部材３ａを覆う位置に下面が開放された三角形状の拘束部材６を取り付け、同拘束部材６の両端部と各基板４の長孔４ａとを加圧板７ａを備えたリンク部材７でスライド自在に拘束している。
【００１１】
柄２の拘束部材６後方位置には柄２に沿って進退するスライド部材１０を挿入し、同スライド部材１０に各操作棒３を通してリンクバー９とそれぞれ枢支し、柄２の後方には柄２に固定できるホルダー８ａを備えたレバー８を前後方向に回動可能にその基端部で枢支し、同レバー８の中央部に前記リンクバー９の後端を枢支している。なお、吸水体５の長さは３０ｃｍ、拘束部材６の幅は１８ｃｍに形成されている。
【００１２】
本実施例のモップ１の使用方法を説明する。レバー８を後方へ引張するとスライド部材１０のスライドにより操作棒３が後方へ移行し、図４に示すように吸水体５を取り付けた各基板４の基端部が操作棒３により後方へ引張されて吸水体５がＶ字状に２つ折りされる。この状態で水を入れたバケツに浸漬して吸水体５に吸水させ、レバー８を前方へ傾倒してホルダー８ａで柄２に固定して吸水体５を横長の状態に戻し、床拭きや窓拭きに使用する。吸水量の調節は、モップ１を一旦バケツから持ち上げてレバー８の操作で吸水体５を任意の圧縮力で絞ることで容易に成される。このとき、２つ折りされた吸水体５の両端部は折れ曲がり部分と比較して圧縮が不十分となり易いが、図５に示すようにリンク部材７が長孔４ａでスライドして加圧板７ａが両側から加圧して確実に圧縮される。
【００１３】
使用後の洗浄は、モップ１をバケツ上で持った状態でレバー８を後方へ引張して前記と同様に吸水体５をＶ字状に２つ折りし、この圧縮力で吸水された水がバケツへ回収される。このとき、吸水体５の初期の長さは３０ｃｍであるが、Ｖ字状に２つ折りした状態ではおよそ１０ｃｍ程度とコンパクトに形成され、一般的な大きさのバケツからはみ出すことなく水をこぼさないようにして回収できる。
【００１４】
洗浄後は十分に脱水した後、レバー８を前方へ傾倒して吸水体５を元の横長の状態に戻して所定場所に保管するが、このとき、吸水体５をＶ字状に２つ折りした状態のまま保管してもよく、この場合コンパクトに形成されて狭い場所でも容易に収納できる。このように、本実施例のモップ１は使用前の吸水量の調節や使用後の脱水が容易で、しかも未使用時はコンパクトに形成して狭い場所でも容易に保管できる。
【産業上の利用可能性】
【００１５】
本考案のモップは、床や窓の水拭きに有用であるが、床のワックス掛けにも応用可能である。
【図面の簡単な説明】
【００１６】
【図１】実施例のモップの斜視図である。
【図２】図１のＡ−Ａ断面図である。
【図３】実施例のモップのレバーの説明図である。
【図４】実施例のモップの使用状態を示す説明図である。
【図５】実施例のモップの使用状態を示す説明図である。
【符号の説明】
【００１７】
１  モップ
２  柄
３  操作棒
３ａ  枢支部材
４  基板
４ａ  長孔
５  吸水体
５ａ  ベースシート
６  拘束部材
７  リンク部材
７ａ  加圧板
８  レバー
８ａ  ホルダー
９  リンクバー
１０  スライド部材
【図１】
0003111126.tif 000003
【図２】
0003111126.tif 000004
【図３】
0003111126.tif 000005
【図４】
0003111126.tif 000006
【図５】
0003111126.tif 000007